(57)【要約】【課題】ユーザに違和感を与えることなく、かつ低消費電力化及び焼き付き防止を図ることができる自発光表示装置及び自発光表示方法を提供すること。【解決手段】自発光表示装置１１１は、自発光ディスプレイ１１０の表示画面に違和感を与えない、なだらかな輝度レベルの起伏を有する輝度傾斜パターンＡ，Ｂを記憶する輝度傾斜パターン記憶部１２０と、輝度傾斜パターン記憶部１２０に記憶された輝度傾斜パターンＡ，Ｂを、外部から入力されたＯＮ／ＯＦＦ信号に従って切り替え、切り替えた輝度傾斜パターンを画像処理部１２２に出力するパターン設定部１２１とを備え、画像処理部１２２は、パターン設定部１２１により指示された輝度傾斜パターンに基づいて入力画像信号に対して輝度傾斜補正を行う。【選択図】図２
2010204496.tif 000002
【特許請求の範囲】
【請求項１】
自発光ディスプレイと、
前記自発光ディスプレイの表示画面に違和感を与えない、なだらかな輝度レベルの起伏を有する輝度傾斜パターンを複数記憶する輝度傾斜パターン記憶手段と、
前記輝度傾斜パターン記憶手段に記憶された複数の輝度傾斜パターンの中から、使用する輝度傾斜パターンを設定するパターン設定手段と、
前記パターン設定部により設定された輝度傾斜パターンに基づいて入力画像信号に対して輝度傾斜補正を行う画像処理手段と、
を備える自発光表示装置。
【請求項２】
前記輝度傾斜パターン記憶手段は、前記輝度レベルがなだらかに低くなる輝度傾斜パターンを記憶する請求項１記載の自発光表示装置。
【請求項３】
前記輝度傾斜パターン記憶手段は、前記輝度傾斜パターンの平均輝度レベルが、前記輝度傾斜パターンを施さない平均輝度レベルより所定以上低い輝度傾斜パターンを記憶する請求項１記載の自発光表示装置。
【請求項４】
前記輝度傾斜パターン記憶手段は、画像中央部が画像周辺部より輝度レベルが高くなるような正極性の輝度傾斜パターンＡと、画像周辺部が画像中央部より輝度が低くなるような負極性の輝度傾斜パターンＢとを記憶する請求項１記載の自発光表示装置。
【請求項５】
前記パターン設定手段は、前記輝度傾斜パターンＡと前記輝度傾斜パターンＢとを所定タイミングで切り替える請求項１記載の自発光表示装置。
【請求項６】
前記パターン設定手段は、前記輝度傾斜パターンＡと前記輝度傾斜パターンＢとを交互に切り替える請求項１記載の自発光表示装置。
【請求項７】
前記パターン設定手段は、所定タイミングで、前記輝度傾斜パターンを選択する請求項１記載の自発光表示装置。
【請求項８】
前記パターン設定手段は、前記表示画面のＯＮ／ＯＦＦタイミングで、前記輝度傾斜パターンを設定する請求項１記載の自発光表示装置。
【請求項９】
前記パターン設定手段は、電源のＯＮ／ＯＦＦタイミングで、前記輝度傾斜パターンを設定する請求項１記載の自発光表示装置。
【請求項１０】
前記パターン設定手段は、アプリケーションに応じて、前記輝度傾斜パターンを設定する請求項１記載の自発光表示装置。
【請求項１１】
前記パターン設定手段は、前回使用した輝度傾斜パターンを記憶し、次回起動時には前回使用した輝度傾斜パターンと異なる輝度傾斜パターンを設定する請求項１記載の自発光表示装置。
【請求項１２】
入力画像信号から画像平均輝度レベルを求め、その画像平均輝度レベルから補正量を算出する補正量算出手段を備え、
前記パターン設定手段は、前記補正量算出手段から渡された補正量に基づいて、前記輝度傾斜パターンを補正する請求項１記載の自発光表示装置。
【請求項１３】
前記パターン設定手段は、アプリケーションに応じて、前記輝度傾斜パターンを補正する補正制御の実行の有無を動的に切り替える請求項１２記載の自発光表示装置。
【請求項１４】
自発光ディスプレイの表示画面に違和感を与えない、なだらかな輝度レベルの起伏を有する輝度傾斜パターンを予め複数記憶するステップと、
前記複数の輝度傾斜パターンの中から、使用する輝度傾斜パターンを設定するステップと、
前記設定された輝度傾斜パターンに基づいて入力画像信号に対して輝度傾斜補正を行うステップと
を有する自発光表示方法。
【発明の詳細な説明】
【技術分野】
【０００１】
本発明は、有機ＥＬ（Organic Electro-Luminescence）ディスプレイなどの自発光表示装置及び自発光表示方法に関する。
【背景技術】
【０００２】
ＥＬディスプレイは自発光表示装置であるため、視野角が広く、応答速度が速い。また、バックライトが不要であるため、薄型軽量化が可能である。これらの理由から、近年、ＥＬディスプレイは、液晶表示装置に代わるフラットディスプレイとして注目されている。
【０００３】
ＥＬディスプレイは、ＥＬ素子の発光特性が発光時間の経過に伴って劣化し、同じ入力電流によって得られる輝度が徐々に低下する。このため、例えば画面の一定位置に同一の表示がなされる場合には、特定の画素の発光頻度のみが高くなるため、これらの画素は他の画素に比べて発光特性が著しく劣化し、焼付きが発生する問題がある。
【０００４】
図２８は、ＥＬディスプレイを有する携帯電話機の表示画面を示す図である。図２８に示すように、携帯電話機は、表示画面の上部に電池，アンテナ，時刻などのアイコンが表示され、表示画面の下部に各種ソフトキーが表示される。
【０００５】
自発光素子である有機ＥＬは発光すればするほど、材料劣化などにより焼き付きが生じる。電池，アンテナなどアイコン及びソフトキーなどの表示時間が長い固定パターン部において、焼き付きが顕著に発生しやすい。
【０００６】
特許文献１には、輝度制御する範囲を設定し、その範囲において輝度レベルを制御するＥＬディスプレイの表示装置が記載されている。特許文献１記載の装置は、ディスプレイの画像表示位置に応じたゲイン制御に加え、入力画像信号の輝度レベルにも応じたゲイン制御を行う。
【０００７】
特許文献２には、画面平均輝度をベースに中心輝度よりも周囲輝度を低下させるＰＤＰ（Plasma Display Panel）を備える映像表示装置が記載されている。特許文献２記載の装置は、消費電力や平均輝度レベルが設定値を超えた場合に輝度変調回路を動作させる。
【０００８】
特許文献３には、画面の高輝度静止画部分を検出し、検出部分のみの輝度を低下するＣＲＴの焼き付き防止装置が記載されている。
【特許文献１】特開２００６−２４３４３５号公報
【特許文献２】特開２００５−３２１６６４号公報
【特許文献３】特開２００５−３５１４４２号公報
【発明の開示】
【発明が解決しようとする課題】
【０００９】
特許文献１記載の装置は、画面端の輝度低下と画面周辺部の焼付きを改善するものの、低消費電力を図るものではない。
【００１０】
特許文献２記載の表示装置は、ＰＤＰ表示部の破損防止と消費電力を低減する装置であって、ＥＬ等の自発光表示装置とは構造及び駆動方式が全く異なる。また、特許文献３は、ＣＲＴの焼き付き防止装置であり、ＥＬ等の自発光表示装置とは構造及び駆動方式が全く異なることに加え、低消費電力を図るものではない。
【００１１】
本発明は、かかる点に鑑みてなされたものであり、ユーザに違和感を与えることなく、かつ低消費電力化及び焼き付き防止を図ることができる自発光表示装置及び自発光表示方法を提供することを目的とする。
【課題を解決するための手段】
【００１２】
本発明の自発光表示装置は、自発光ディスプレイと、前記自発光ディスプレイの表示画面に違和感を与えない、なだらかな輝度レベルの起伏を有する輝度傾斜パターンを複数記憶する輝度傾斜パターン記憶手段と、前記輝度傾斜パターン記憶手段に記憶された複数の輝度傾斜パターンの中から、使用する輝度傾斜パターンを設定するパターン設定手段と、前記パターン設定部により設定された輝度傾斜パターンに基づいて入力画像信号に対して輝度傾斜補正を行う画像処理手段と、を備える構成を採る。
【００１３】
本発明の自発光表示方法は、自発光ディスプレイの表示画面に違和感を与えない、なだらかな輝度レベルの起伏を有する輝度傾斜パターンを予め複数記憶するステップと、前記複数の輝度傾斜パターンの中から、使用する輝度傾斜パターンを設定するステップと、前記設定された輝度傾斜パターンに基づいて入力画像信号に対して輝度傾斜補正を行うステップとを有する。
【発明の効果】
【００１４】
本発明によれば、ユーザに違和感を与えることなく、かつ低消費電力化及び焼き付き防止を図ることができる。
【発明を実施するための最良の形態】
【００１５】
以下、本発明の実施の形態について図面を参照して詳細に説明する。
【００１６】
（実施の形態１）
図１は、本発明の実施の形態１に係る自発光表示装置を備える携帯端末装置の構成を示すブロック図である。本実施の形態は、自発光表示装置として有機ＥＬディスプレイを備える携帯電話機／ＰＨＳ（Personal Handy-Phone System）を適用した例である。また、携帯電話機のほか、ＰＤＡ（Personal Digital Assistants：携帯情報端末）、携帯ゲーム機などの携帯機器に適用できる。
【００１７】
図１に示すように、携帯電話機１００は、アンテナ１０１、無線送受信部１０２、送受話回路１０３、送受話器１０４、操作部１０５、撮像装置１０６、背面撮像装置１０７、表示装置１０８、自発光表示制御装置１０９、自発光ディスプレイ１１０、メモリ１１２、及び制御部１１３を備えて構成される。上記自発光表示制御装置１０９及び自発光ディスプレイ１１０は、自発光表示装置１１１を構成する。
【００１８】
自発光表示制御装置１０９は、自発光ディスプレイ１１０の表示画面に違和感を与えることなく、かつ低消費電力化及び焼き付き防止を図る自発光表示制御を行う。自発光表示制御装置１０９の詳細については、後述する。
【００１９】
自発光ディスプレイ１１０は、例えば有機ＥＬディスプレイである。ここでは、自発光ディスプレイ１１０は、携帯電話機１００の主表示装置として用いている。携帯電話機１００の背面表示装置としては、ＬＣＤディスプレイ等からなる表示装置１０８であるが、表示装置１０８が自発光ディスプレイ、又は共に自発光ディスプレイであってもよい。また、自発光ディスプレイ１１０は、携帯端末の場合は、軽量化・薄型化の観点からＥＬディスプレイが適しているが自発光ディスプレイであればよく、例えばＰＤＰ（Plasma Display Panel）であってもよい。
【００２０】
制御部１１３は、ＣＰＵ等により構成され、携帯電話機１００全体の制御を行うとともに、自発光表示装置１１１の表示制御を行う。制御部１１３は、自発光ディスプレイ１１０に表示する画像データを入力画像信号として出力する。制御部１１３は、自発光表示制御装置１０９に対し、輝度傾斜パターンの切り替えを指示する切替信号を出力する。この切替信号は、例えば携帯電話機１００の電源ＯＮ／ＯＦＦ、折畳み型携帯電話機の開閉信号である。また、制御部１１３は、携帯電話機１００のアプリケーションを実行する。アプリケーションは、ゲームやブラウザなどのアプリケーションソフトのみならず、携帯電話機１００の携帯機器制御ソフト（電源ＯＮ／ＯＦＦ、表示装置ＯＮ／ＯＦＦ、横画面／縦画面使用など）を含む。
【００２１】
図２は、上記自発光表示制御装置１０９の構成を示すブロック図である。
【００２２】
図２に示すように、自発光表示制御装置１０９は、輝度傾斜パターン記憶部１２０と、パターン設定部１２１と、画像処理部１２２とから構成される。
【００２３】
輝度傾斜パターン記憶部１２０は、自発光ディスプレイ１１０の表示画面に違和感を与えない、なだらかな輝度レベルの起伏を有する輝度傾斜パターンを複数記憶する。複数の輝度傾斜パターンの詳細については、実施の形態２により後述する。
【００２４】
パターン設定部１２１は、輝度傾斜パターン記憶部１２０に記憶された複数の輝度傾斜パターンの中から、画像処理部１２２に渡す輝度傾斜パターンを設定する。本実施の形態では、パターン設定部１２１は、輝度傾斜パターン記憶部１２０に記憶された輝度傾斜パターンを、外部から入力されたＯＮ／ＯＦＦ信号に従って切り替え、切り替えた輝度傾斜パターンを画像処理部１２２に出力する。
【００２５】
画像処理部１２２は、パターン設定部１２１により指示された輝度傾斜パターンに基づいて入力画像信号に対して輝度傾斜補正を行う。
【００２６】
ここで、本実施の形態では、パターン設定部１２１は、輝度傾斜パターン記憶部１２０に記憶された輝度傾斜パターンを、ＯＮ／ＯＦＦ信号により、例えば交互に切り替えるだけである。したがって、マイクロプロセッサ等を用いた高機能制御ブロック又は電子回路ブロックである必要はない。具体的には、パターン設定部１２１は、輝度傾斜パターン記憶部１２０に記憶された輝度傾斜パターンにフラグを立てる、また２入力１出力のトグルスイッチなどを用いて簡単に構成することができる。
【００２７】
以下、上述のように構成された自発光表示装置１１１の動作について説明する。
【００２８】
まず、本発明の基本的な考え方について説明する。
【００２９】
図３は、有機ＥＬディスプレイとＬＣＤディスプレイの画面平均輝度と消費電力との関係を示す図である。
【００３０】
図３に示すように、ＬＣＤディスプレイは、画面平均輝度に対して消費電力は略一定である。これに対して自発光素子である有機ＥＬディスプレイは、発光する明るさが明るいほど消費電力が増加していく。言い換えれば、有機ＥＬディスプレイは、明るさ感を保ったまま画面を暗くすることができれば、低消費電力化につなげることができる。
【００３１】
本発明者は、表示画面に違和感を与えることのない程度で、画像周辺部の輝度が画像中央部の輝度より徐々に低くなる輝度傾斜パターンと、その逆の輝度傾斜パターンとを設け、これらのパターンを所定タイミングで切り替えて用いることに想到した。ユーザに違和感を与えることなく、平均輝度レベルを下げることにより低消費電力化を図ることができる。また、複数パターンを所定タイミングで切り替えて用いることで、画像周辺部などの特定部分の焼き付きを防止することができる。また、平均輝度レベルが下がることによって、焼き付き防止効果をより一層高めることができる。
【００３２】
[表示画面と輝度傾斜パターンとの関係]
図４乃至図６は、表示画面と輝度傾斜パターンとの関係を示す図である。
【００３３】
図４に示すように、自発光ディスプレイ１１０の表示画面において、横幅方向をＡ−Ａ’とし、縦幅方向をＢ−Ｂ’とする。本実施の形態は、自発光ディスプレイ１１０は、携帯電話機１００の主表示装置として用いた場合の例である。このため、図４の表示画面Ａが、携帯電話機１００の主表示画面の上部となり、図４の表示画面Ａ’が、携帯電話機１００の主表示画面の下部となる。この主表示画面の上部及び下部は、図２８の携帯電話画面のレイアウト例に示すように、電池、アンテナなどのアイコンや、ソフトキーなどの表示時間が長い固定パターン部が表示される部分であり、焼き付きが顕著に発生しやすい箇所である。これに対して、図４の表示画面Ｂ−Ｂ’は、固定パターン部の表示がなく焼き付きがそれ程顕著に発生しない部分である。なお、図４乃至図６は、一例である。
【００３４】
図５は、輝度傾斜パターンＡを示す図であり、図５（ａ）は図４の表示画面Ａ−Ａ’の方向で見た場合の輝度レベル、図５（ｂ）は図４の表示画面Ｂ−Ｂ’の方向で見た場合の輝度レベルを示す。また、図５（ａ）の破線は、輝度傾斜パターンＡがない場合の輝度レベルを示す。
【００３５】
図５（ａ）に示すように、輝度傾斜パターンＡは、表示画面に違和感を与えないレベルで、画像周辺部の輝度が画像中央部の輝度よりなだらかに低くなる起伏を持つパターンである。輝度傾斜パターンＡの平均輝度レベルは、輝度傾斜パターンＡがない場合の輝度レベル（図５（ａ）破線参照）に比べて低い。画像中央部が画像周辺部と比較して輝度が高くなるような起伏パターンを、正極性の輝度傾斜パターンと呼ぶ。
【００３６】
一方、図５（ｂ）に示すように、輝度傾斜パターンＡは、図４の表示画面Ｂ−Ｂ’の方向で見た場合には起伏パターンはなく、輝度レベルは一定である。
【００３７】
図６は、輝度傾斜パターンＢを示す図であり、図６（ａ）は図４の表示画面Ａ−Ａ’の方向で見た場合の輝度レベル、図６（ｂ）は図４の表示画面Ｂ−Ｂ’の方向で見た場合の輝度レベルを示す。また、図６（ａ）の破線は、輝度傾斜パターンＢがない場合の輝度レベルを示す。
【００３８】
図６（ａ）に示すように、輝度傾斜パターンＡは、表示画面に違和感を与えないレベルで、画像中央部の輝度が画像周辺部の輝度よりなだらかに低くなる起伏を持つパターンである。輝度傾斜パターンＢの平均輝度レベルは、輝度傾斜パターンＢがない場合の輝度レベル（図６（ａ）破線参照）に比べて低い。画像周辺部が画像中央部と比較して輝度が高くなるような起伏パターンを、負極性の輝度傾斜パターンと呼ぶ。
【００３９】
一方、図６（ｂ）に示すように、輝度傾斜パターンＢは、図４の表示画面Ｂ−Ｂ’の方向で見た場合には起伏パターンはなく、輝度レベルは一定である。
【００４０】
このように、輝度傾斜パターンＡと輝度傾斜パターンＢは、図４の表示画面Ａ−Ａ’の方向で見た場合に、起伏パターンが逆となっている。輝度傾斜パターンＡと輝度傾斜パターンＢの輝度レベルの低下の度合いは相補的である。すなわち、輝度傾斜パターンＡと輝度傾斜パターンＢとは、線対称の起伏パターンを有する。輝度傾斜パターンＡと輝度傾斜パターンＢとを、所定タイミングで切り替えて用いる場合に、違和感を与えないことと、自発光ディスプレイ１１０の表示画面の劣化の程度を均一に保つためである。但しあえて、非相補的なパターンの組み合わせとする態様でもよい。
【００４１】
輝度傾斜パターンＡと輝度傾斜パターンＢとを所定タイミングで切り替えて用いる。
【００４２】
図７は、輝度傾斜パターンＡ，Ｂを切り替えて使用した場合の平均輝度を示す図である。図７（ａ）は図４の表示画面Ａ−Ａ’の方向で見た場合の輝度レベル、図７（ｂ）は図４の表示画面Ｂ−Ｂ’の方向で見た場合の輝度レベルを示す。また、図７（ａ）の破線は、輝度傾斜パターンＡ，Ｂがない場合の輝度レベルを示す。
【００４３】
図７（ａ）に示すように、輝度傾斜パターンＡ，Ｂを切り替えて使用した場合の平均輝度レベルは、輝度傾斜パターンＡ，Ｂがない場合の輝度レベルに比べて低い。
【００４４】
また、図７（ｂ）に示すように、輝度傾斜パターンＡ，Ｂを切り替えて使用した場合であっても、図４の表示画面Ｂ−Ｂ’の方向で見た場合には、輝度レベルは一定である。
【００４５】
平均輝度レベルを下げることにより低消費電力化を図ることができる。また、焼き付き防止効果をより一層高めることができる。
【００４６】
[輝度傾斜パターンＡ，Ｂの切り替え]
輝度傾斜パターンＡと輝度傾斜パターンＢは、所定タイミングで切り替える。例えば、以下の切り替えタイミングを採る。
【００４７】
図８は、輝度傾斜パターンＡ，Ｂの切り替えタイミング一覧表を示す図である。
【００４８】
本実施の形態は、自発光表示装置１１１を備える携帯電話機１００に適用した例である。このため、自発光表示装置１１１の表示動作、又は携帯電話機１００の使用状況に連動して輝度傾斜パターンＡ，Ｂを切り替えることができる。
【００４９】
輝度傾斜パターンＡ，Ｂは、（１）携帯電話機１００の電源ＯＮ／ＯＦＦ、及び／又は（２）自発光表示装置１１１の自発光ディスプレイ１１０のＯＮ／ＯＦＦの切り替えタイミングで切り替える。
【００５０】
携帯電話機１００が、折畳み型又はスライド型の携帯電話機である場合、折畳んでいる時又はスライド閉の時は、自発光表示装置１１１はＯＦＦ、開いている時又はスライド開の時は、自発光表示装置１１１はＯＮとなるため、そのタイミングで輝度傾斜パターンＡ，Ｂを切り替える。
【００５１】
以上詳細に説明したように、本実施の形態によれば、自発光表示装置１１１は、自発光ディスプレイ１１０の表示画面に違和感を与えない、なだらかな輝度レベルの起伏を有する輝度傾斜パターンＡ，Ｂを記憶する輝度傾斜パターン記憶部１２０と、輝度傾斜パターン記憶部１２０に記憶された輝度傾斜パターンＡ，Ｂを、外部から入力されたＯＮ／ＯＦＦ信号に従って切り替え、切り替えた輝度傾斜パターンを画像処理部１２２に出力するパターン設定部１２１とを備え、画像処理部１２２は、パターン設定部１２１により指示された輝度傾斜パターンに基づいて入力画像信号に対して輝度傾斜補正を行う。本実施の形態では、画像周辺部の輝度が画像中央部の輝度より徐々に低くなる輝度傾斜パターンＡと、その逆の輝度傾斜パターンＢとを設け、輝度傾斜パターンＡ，ＢをＯＮ／ＯＦＦ信号により、例えば交互に切り替える。輝度傾斜パターンＡ，Ｂは、その平均輝度レベルが、輝度傾斜パターンＡ，Ｂを施さない場合より所定以上低い輝度傾斜パターンである。
【００５２】
これにより、ユーザに違和感を与えることなく、かつ低消費電力化及び焼き付き防止を図ることができる。すなわち、輝度傾斜パターンＡ，Ｂは、元々、表示画面に違和感を与えない、なだらかな輝度レベルの起伏パターンであるから、入力画像信号に対してこの輝度傾斜パターンＡ，Ｂを用いて信号処理を行っても、ユーザは自発光ディスプレイ１１０の表示画面に違和感を感じることはない。しかも輝度傾斜パターンＡ，Ｂの平均輝度レベルが、輝度傾斜パターンＡ，Ｂを施さない場合より、所定以上低いので、低消費電力化及び焼き付きに対する長寿命化を図ることができる。
【００５３】
また、本実施の形態では、ＯＮ／ＯＦＦ信号により、例えば輝度傾斜パターンＡ，Ｂを交互に切り替えるので、構成が極めて簡素であり、低コストで容易に実施できる優れた効果がある。
【００５４】
図９及び図１０は、本実施の形態の効果を説明する図である。図９は、図５及び図６の輝度傾斜パターンＡと輝度傾斜パターンＢを、所定タイミングで切り替えて合成した場合の輝度レベル（図９破線参照）を示している。図５及び図６の輝度傾斜パターンＡ，Ｂは、放物線形状／水平方向のみである。また最大輝度低下は２０％である。図９破線に示すように、輝度傾斜パターンＡ，Ｂを所定タイミングで切り替えて合成した場合の平均輝度は、約９０％となり１０％の低消費電力化及び焼き付きに対する長寿命化を図ることができる。
【００５５】
図１０は、図９の輝度傾斜パターンＡ，Ｂを用いた場合の効果見積もり表を示す図である。図１０に示すように、輝度傾斜パターンＡ（正極）の中心明るさ（輝度レベル）は１００％、画面端明るさは８０％であり、その平均明るさは９４％である。輝度傾斜パターンＢ（負極）の中心明るさは８０％、画面端明るさは１００％であり、その平均明るさは８６％である。輝度傾斜パターンＡと輝度傾斜パターンＢを、所定タイミングで切り替えて合成した場合、中心明るさ、画面端明るさ、及び平均明るさは、いずれも９０％となる。合成した場合の平均輝度は、約９０％となり１０％の低消費電力化及び焼き付きに対する長寿命化を図ることができる。
【００５６】
本実施の形態では、画像周辺部の輝度が画像中央部の輝度より徐々に低くなる輝度傾斜パターンＡと、その逆の輝度傾斜パターンＢとを有し、輝度傾斜パターンＡ，Ｂは、輝度傾斜パターンＡ，Ｂを施さない場合より平均輝度レベルが低いことを特徴とする。このような輝度傾斜パターンであれば、どのようなパターンでもよい。例えば、画像の平均輝度レベルから設定する態様に代えて、輝度の分布（輝度の分散又は輝度のヒストグラム）によりパターンを設定してもよく、同様の効果を得ることができる。
【００５７】
（実施の形態２）
実施の形態２は、アプリケーションごとに輝度傾斜パターンを選択する例である。
【００５８】
図１１は、本発明の実施の形態２に係る自発光表示装置の構成を示すブロック図である。図１及び図２と同一構成部分には同一符号を付して重複箇所の説明を省略する。本実施の形態の自発光表示装置２００は、図１の自発光表示装置１１１に代えて適用される。
【００５９】
図１１に示すように、自発光表示装置２００は、自発光表示制御装置２１０及び自発光ディスプレイ１１０から構成される。
【００６０】
自発光表示制御装置２１０は、輝度傾斜パターン記憶部２２０と、パターン設定部２２１と、画像処理部１２２とから構成される。
【００６１】
アプリケーション２０１は、携帯電話機１００（図１）に搭載され、ＣＰＵ等からなる制御部１１３（図１）により実行される各種プログラムである。携帯電話機１００のアプリケーション２０１として代表的なものには、メール、ブラウザ、ゲーム、カメラ、ワンセグ表示の各機能アプリケーションがある。いわゆるゲームやブラウザなどのアプリケーションソフトのみならず、カメラ、写真閲覧、待ちうけ表示、メニュー表示なども含めてアプリケーションと呼んでいる。
【００６２】
輝度傾斜パターン記憶部２２０は、自発光ディスプレイ１１０の表示画面に違和感を与えない、なだらかな輝度レベルの起伏を有する輝度傾斜パターンを複数記憶する。アプリケーションにより輝度パターンの見栄えが変わるため、アプリケーションごとに輝度傾斜パターンの選択が必要となる。輝度傾斜パターン記憶部２２０は、アプリケーションごとに見栄えが良くなる複数の輝度傾斜パターンを記憶する。輝度傾斜パターン記憶部２２０は、複数の輝度傾斜パターンのうち、少なくとも一つは画像中央部が画像周辺部よりも明るい正極性の輝度傾斜パターンＡとその逆の負極性の輝度傾斜パターンＢの、２極性を持つ。輝度傾斜パターンの詳細については、図１２乃至図１８により後述する。
【００６３】
パターン設定部２２１は、輝度傾斜パターン記憶部２２０に記憶された複数の輝度傾斜パターンの中から、アプリケーション２０１に合った輝度傾斜パターンを選択し、選択した輝度傾斜パターンを画像処理部１２２に出力する。
【００６４】
パターン設定部２２１は、画像処理部１２２で使用する輝度傾斜パターン及びパターンの切り替えタイミングを指示する。パターン設定部２２１は、前回終了時における輝度傾斜量、輝度傾斜パターンを保存する。
【００６５】
画像処理部１２２は、パターン設定部２２１により指示された輝度傾斜パターンに基づいて入力画像信号に対して輝度傾斜補正を行う。
【００６６】
図１２乃至図１８は、輝度傾斜パターン記憶部１２０に記憶された輝度傾斜パターンを示す図である。図１２乃至図１８は、いずれも正極の輝度傾斜パターンＡと負極の輝度傾斜パターンＢのそれぞれについて、図４の表示画面Ａ−Ａ’の方向で見た場合の輝度レベルと、図４の表示画面Ｂ−Ｂ’の方向で見た場合の輝度レベルを示している。また、図１２乃至図１８の破線は、輝度傾斜パターンがない場合の輝度レベルを示す。
【００６７】
図１２の輝度傾斜パターン１、図１４の輝度傾斜パターン３、及び図１６の輝度傾斜パターン５は、水平方向又は垂直方向の放物線形状の輝度傾斜パターンである。放物線形状には、放物線は勿論のこと放物線のような曲線を含む。なお、図１２の輝度傾斜パターン１は、図５及び図６の輝度傾斜パターンＡ，Ｂと同一であり、画像周辺部の輝度が画像中央部の輝度よりなだらかに低くなる輝度傾斜パターンＡと、その逆の輝度傾斜パターンＢの２極性を持つ輝度傾斜パターンとしては、典型的なパターンである。これらの輝度傾斜パターンＡ，Ｂを切り替えて用いることで、表示画面に違和感を与えることのない程度で、平均輝度レベルを下げることができ、低消費電力化を図ることができる。
【００６８】
図１３の輝度傾斜パターン２、図１５の輝度傾斜パターン４、及び図１７の輝度傾斜パターン６は、水平方向又は垂直方向において直線と曲線を組合わせた形状の輝度傾斜パターンである。基本的な効果は、上記輝度傾斜パターン１，３，５の場合と同様である。輝度傾斜パターン２，４，６は、上記輝度傾斜パターン１，３，５の基本的な効果に加えて、特に画像周辺部の固定パターン部において、より効果的に焼き付き防止を行うことができる。
【００６９】
図１８の輝度傾斜パターン７は、上記輝度傾斜パターン１〜６のような画像周辺部と画面周辺部と間で輝度レベルを低くするパターンではなく、焼き付きが気になるアイコン表示エリアなどの画像表示部分などは一律輝度を下げ、それ以外を放物線形状とするようなパターンである。焼き付きが懸念される表示エリアが予め判明している場合には特に有効である。
【００７０】
上記輝度傾斜パターン１〜７は、一例である。また、輝度傾斜パターンＡ，Ｂは、便宜的な名称であり、さらに輝度傾斜パターンＣ，Ｄ（図示略）を有し、これらを順次切り替えても構わない。
【００７１】
パターン設定部２２１は、上記輝度傾斜パターン１〜７から最適な輝度傾斜パターンＡ，Ｂを選択して画像処理部１２２に供給することができる。
【００７２】
以下、上述のように構成された自発光表示装置２００の動作について説明する。
【００７３】
図１９は、アプリケーション２０１による輝度傾斜パターンの切り替えタイミング一覧表を示す図である。
【００７４】
図１９に示すように、アプリケーション２０１は、輝度補正で見栄えが確保できるアプリケーションと、輝度補正で見栄えが確保できないアプリケーションとに大別される。
【００７５】
輝度補正で見栄えが確保できるアプリケーションには、待ちうけ画面、メニュー画面、メール画面（黒背景＋白文字など）、ゲーム、ワンセグ表示、カメラ、写真閲覧などがある。また、輝度補正で見栄えが確保できないアプリケーションには、ブラウザ、メール画面（白背景＋黒文字など）などがある。
【００７６】
上記輝度補正で見栄えが確保できるアプリケーションについては、アプリケーションごとに予め使用する輝度傾斜パターンを設定する。パターン設定部２２１は、輝度傾斜パターン記憶部２２０に記憶されている複数の輝度傾斜パターンから、アプリケーションごとに設定された輝度傾斜パターンを選択して画像処理部１２２に供給する。
【００７７】
輝度補正で見栄えが確保できるアプリケーションと、輝度補正で見栄えが確保できないアプリケーションでは、輝度傾斜パターンの切り替えタイミングについても差異がある。
【００７８】
輝度補正で見栄えが確保できるアプリケーションは、アプリケーション起動ごとに極性切り替える。輝度補正で見栄えが確保できないアプリケーションは、輝度傾斜パターンは不使用又は極性固定である。
【００７９】
このように、アプリケーション２０１は、予め使用するパターンが決められており、パターン設定部２２１は、それに合わせて画像処理部１２２に使用するパターンを指示する。
【００８０】
また、パターン設定部２２１は、アプリケーション終了時に設定パターン極性を記憶し、次回起動時には前回終了時に使用した極性と反転した極性を選択して、画像処理部１２２に指示する。例えば、前回終了時は輝度傾斜パターンＡ（正極）、次回起動時は輝度傾斜パターンＢ（負極）とする。
【００８１】
但し、輝度傾斜パターン補正で見栄えが確保できないようなアプリケーションや、同じアプリケーションでも見栄えが確保できない配色の場合においては、輝度補正不使用やパターンＡ、パターンの切り替えをせず固定する。
【００８２】
なお、本実施の形態では、パターン設定部２２１が、前回終了時における輝度傾斜量、輝度傾斜パターンを記憶している。この構成によれば、アプリケーション２０１の修正は不要である。しかし、アプリケーション２０１が、現在のパターン極性など記憶する態様でもよく、同様の効果を得ることができる。
【００８３】
図２０は、アプリケーション毎による輝度傾斜パターン及び極性切り替え動作を示すフローチャートである。図中、Ｓはフローの各ステップを示す。
【００８４】
ステップＳ１１では、パターン設定部２２１（図１１参照）は、アプリケーション起動を受け、起動したアプリケーションの前回終了時に使用した輝度傾斜パターン及び極性を読み出す。なお、アプリケーションが使用したパターン極性などを記憶する態様の場合は、パターン設定部２２１は、起動したアプリケーションから前回終了時に使用した輝度傾斜パターン及び極性を読み込む。
【００８５】
ステップＳ１２では、パターン設定部２２１は、起動したアプリケーションが前回終了時に使用した輝度傾斜パターンの逆極性の輝度傾斜パターンを、輝度傾斜パターン記憶部２２０から選択し、画像処理部１２２に渡す。
【００８６】
すなわち、図１９に示すように、各アプリケーションは予め使用する輝度傾斜パターンが決められている。例えば、待ち受け画面は、輝度傾斜パターン１（図１３参照）、ゲームは、輝度傾斜パターン２（図１３参照）などが決められている。パターン設定部２２１は、前回終了時極性が輝度傾斜パターンＡ（正極）であれば、今回の起動は輝度傾斜パターンＢ（負極）とする。
【００８７】
ステップＳ１３では、画像処理部１２２（図１１参照）は、入力画像信号に対してパターン設定部２２１から渡された輝度傾斜パターンを用いて信号処理を施す。
【００８８】
ステップＳ１４では、画像処理部１２２は、信号処理後の画像を自発光ディスプレイ１１０（図１１参照）に送る。以上の処理は、アプリケーション動作中は繰返し行われる。
【００８９】
アプリケーション終了時は、ステップＳ１５に移行する。
【００９０】
ステップＳ１５では、パターン設定部２２１は、現在のパターン極性を記憶して本フローを終了する。なお、アプリケーションが使用したパターン極性などを記憶する態様の場合には、アプリケーションが現在のパターン極性を記憶する。
【００９１】
このように、本実施の形態によれば、自発光表示装置２００は、アプリケーションごとに見栄えが良くなる複数の輝度傾斜パターン（図１２乃至図１８参照）を記憶し、パターン設定部２２１は、複数の輝度傾斜パターンから最適な輝度傾斜パターンを選択して画像処理部１２２に供給するので、低消費電力化及び焼き付きに対する長寿命化をより一層高めることができる。さらに、様々なアプリケーションに対して見栄えを良くすることができる。
【００９２】
（実施の形態３）
表示する内容が変化するようなアプリケーションでは、輝度補正した場合に見栄えが劣化する可能性がある。例えば、ワンセグ動画において、前面が白に近いような画像が表示された場合やカメラで白背景に黒文字のカレンダーなどを撮影するような場合である。
【００９３】
このようなアプリケーションは、動的に輝度傾斜パターンを可変させ、見栄えの劣化を低減することが有効である。
【００９４】
実施の形態３は、輝度傾斜パターンを動的に変化させる例である。
【００９５】
図２１は、本発明の実施の形態３に係る自発光表示装置の構成を示すブロック図である。図１及び図１１と同一構成部分には同一符号を付して重複箇所の説明を省略する。本実施の形態の自発光表示装置３００は、図１の自発光表示装置１１１に代えて適用される。
【００９６】
図２１に示すように、自発光表示装置３００は、自発光表示制御装置３１０及び自発光ディスプレイ１１０から構成される。
【００９７】
自発光表示制御装置３１０は、輝度傾斜パターン記憶部２２０と、補正量算出部３１１と、パターン設定部３２１と、画像処理部１２２とから構成される。
【００９８】
補正量算出部３１１は、入力画像信号から画面平均輝度レベル（ＡＰＬ：Average Picture Level）（以下、適宜平均輝度と略称する）を求め、その平均輝度から補正量を算出する。
【００９９】
パターン設定部３２１は、図１１のパターン設定部２２１と同様の機能を有し、さらに以下の機能を備える。
【０１００】
パターン設定部３２１は、輝度傾斜パターン記憶部２２０に記憶された複数の輝度傾斜パターンの中から、輝度傾斜パターン及び極性を選択し、選択した輝度傾斜パターンを画像処理部１２２に出力する。
【０１０１】
パターン設定部３２１は、アプリケーション２０１の指示に基づいて、静的／動的制御の切り替えを行い、動的制御をする場合は、補正量算出部３１１から渡された補正量に基づいて、画像処理部１２２に渡す輝度傾斜パターンを補正する。
【０１０２】
パターン設定部３２１は、静的／動的制御の切り替え、輝度傾斜パターン及び極性の設定、切り替えタイミングを指示する。パターン設定部３２１は、前回終了時における輝度傾斜量、輝度傾斜パターン及び極性を保存する。
【０１０３】
画像処理部１２２は、パターン設定部３２１により指示された輝度傾斜パターンに基づいて入力画像信号に対して輝度傾斜補正を行う。
【０１０４】
以下、上述のように構成された自発光表示装置３００の動作について説明する。
【０１０５】
図２２は、アプリケーション２０１による動的／静的パターン生成、パターン、極性切り替えタイミング一覧表を示す図である。
【０１０６】
図２２に示すように、アプリケーション２０１は、輝度補正で見栄えが確保できるアプリケーションと、輝度補正で見栄えが確保できないアプリケーションとに大別される。
【０１０７】
輝度補正で見栄えが確保できるアプリケーションには、待ちうけ画面、メニュー画面、メール画面（黒背景＋白文字など）、ゲーム、ワンセグ表示、カメラ、写真閲覧などがある。また、輝度補正で見栄えが確保できないアプリケーションには、ブラウザ、メール画面（白背景＋黒文字など）などがある。
【０１０８】
上記輝度補正で見栄えが確保できるアプリケーションについては、アプリケーションごとに予め使用する輝度傾斜パターンを設定する。パターン設定部３２１は、輝度傾斜パターン記憶部２２０に記憶されている複数の輝度傾斜パターンから、アプリケーションごとに設定された輝度傾斜パターンを選択して画像処理部１２２に供給する。
【０１０９】
しかし輝度補正で見栄えが確保できるアプリケーションであっても、表示する内容が変化するようなアプリケーションでは、輝度補正した場合に見栄えが劣化する可能性がある。例えば、ゲーム、ワンセグ表示、カメラ、写真閲覧などあり、これらのアプリケーションでは輝度傾斜パターンを動的に制御する。
【０１１０】
輝度補正で見栄えが確保できるアプリケーションと、輝度補正で見栄えが確保できないアプリケーションでは、輝度傾斜パターンの切り替えタイミングについても差異がある。
【０１１１】
輝度補正で見栄えが確保できるアプリケーションは、アプリケーション起動ごとに極性切り替える。輝度補正で見栄えが確保できないアプリケーションは、輝度傾斜パターンは不使用又は極性固定である。
【０１１２】
このように、アプリケーション２０１は、予め使用するパターンが決められており、パターン設定部３２１は、それに合わせて画像処理部１２２に使用するパターンを指示する。
【０１１３】
また、パターン設定部３２１は、アプリケーション終了時に設定パターン極性を記憶し、次回起動時には前回終了時に使用した極性と反転した極性を選択して、画像処理部１２２に指示する。例えば、前回終了時は輝度傾斜パターンＡ（正極）、次回起動時は輝度傾斜パターンＢ（負極）とする。
【０１１４】
但し、輝度傾斜パターン補正で見栄えが確保できないようなアプリケーションや、同じアプリケーションでも見栄えが確保できない配色の場合においては、輝度補正不使用やパターンＡ、パターンの切り替えをせず固定する。
【０１１５】
さらに、表示する内容が変化するようなアプリケーション、例えばゲーム、ワンセグ表示、カメラ、写真閲覧などでは輝度傾斜パターンを動的に制御する。
【０１１６】
なお、本実施の形態では、パターン設定部３２１が、前回終了時における輝度傾斜量、輝度傾斜パターンを記憶している。この構成によれば、アプリケーション２０１の修正は不要である。しかし、アプリケーション２０１が、現在のパターン極性など記憶する態様でもよく、同様の効果を得ることができる。
【０１１７】
図２３は、動的パターン使用アプリケーションによる輝度傾斜パターン及び極性切り替え動作を示すフローチャートである。
【０１１８】
ステップＳ２１では、パターン設定部３２１（図２１参照）は、アプリケーション起動を受け、起動したアプリケーションの前回終了時に使用した輝度傾斜パターン及び極性を読み出し、起動したアプリケーションが前回終了時に使用した輝度傾斜パターンの逆極性の輝度傾斜パターンを、輝度傾斜パターン記憶部２２０（図２１参照）から選択し、画像処理部１２２（図２１参照）に渡す。例えば、パターン設定部３２１は、前回終了時極性が輝度傾斜パターンＡ（正極）であれば、今回の起動は輝度傾斜パターンＢ（負極）とする。
【０１１９】
ステップＳ２２では、補正量算出部３１１は、入力画像信号から平均輝度を求め、その平均輝度から補正量を算出し、パターン設定部３２１に渡す。
【０１２０】
ステップＳ２３では、パターン設定部３２１は、読み出した極性の輝度傾斜パターンを、補正量算出部３１１から渡された補正量を基に動的補正する。動的補正の詳細については、図２４乃至図２６により後述する。パターン設定部３２１は、補正後の輝度傾斜パターンを画像処理部１２２に渡す。
【０１２１】
ステップＳ２４では、画像処理部１２２（図２１参照）は、入力画像信号に対してパターン設定部３２１から渡された輝度傾斜パターンを用いて信号処理を施す。
【０１２２】
ステップＳ２５では、画像処理部１２２は、信号処理後の画像を自発光ディスプレイ１１０（図２１参照）に送る。以上の処理は、アプリケーション動作中は繰返し行われる。
【０１２３】
アプリケーション終了時は、ステップＳ２６に移行する。
【０１２４】
ステップＳ２６では、パターン設定部３２１は、現在のパターン極性を記憶して本フローを終了する。なお、アプリケーションが使用したパターン極性などを記憶する態様の場合には、アプリケーションが現在のパターン極性を記憶する。
【０１２５】
図２４は、動的パターン算出の詳細なフローチャートである。図２５は、画面平均輝度レベル（ＡＰＬ）−補正量ｘの関係を示す図、図２６は、輝度傾斜パターン−補正量ｘの関係を示す図である。
【０１２６】
ステップＳ３１では、補正量算出部３１１は、入力画像信号から画面平均輝度レベル（ＡＰＬ）を算出する。
【０１２７】
ステップＳ３２では、補正量算出部３１１は、算出した平均輝度から、図２５に示すルックアップテーブルを参照して補正量ｘを算出する。
【０１２８】
ステップＳ３３では、補正量算出部３１１は、算出した補正量ｘをパターン設定部３２１に渡す。
【０１２９】
ステップＳ３４では、パターン設定部３２１は、補正量ｘに基づいて輝度傾斜パターンを補正する。図２６の輝度傾斜パターンは、輝度傾斜パターン１（水平方向放物線）（図１２参照）を適用した場合を例である。図２６は、図４の表示画面Ａ−Ａ’の方向で見た場合の輝度レベルと、図４の表示画面Ｂ−Ｂ’の方向で見た場合の輝度レベルとについて、輝度レベルを補正量ｘにより増減する。例えば、ワンセグ動画において、前面が白に近いような画像が表示された場合には、補正量ｘにより輝度レベルを減らす補正を行う。
【０１３０】
ステップＳ３５では、パターン設定部３２１は、補正後の輝度傾斜パターンを画像処理部１２２に渡す。
【０１３１】
図２７は、輝度傾斜補正をした場合に画面に違和感を与えやすいシーンと画面に違和感を与えにくいシーンとを表にして説明する図である。
【０１３２】
図２７（ａ）に示すように、輝度傾斜補正をした場合に、画面に違和感を与えやすいシーンには、ブラウジング時、及び待ち受け画面表示時がある。この場合には、輝度傾斜パターンＡ（正）のみを使用し、画面平均輝度により輝度傾斜量を制御する。具体的には、平均輝度が高い時は、輝度傾斜量を少なくし、平均輝度が低い時は、輝度傾斜量を多くする。
【０１３３】
図２７（ｂ）に示すように、輝度傾斜補正をした場合に、画面に違和感を与えにくいシーンには、写真表示時、ゲームなどアプリケーションソフト使用時、メニュー画面表示時
、ワンセグ表示時、メール表示時がある。この場合には、焼き付き及び消費電力を考慮して輝度傾斜パターンＡ（正），輝度傾斜パターンＢ（負）を使用する。また、画面平均輝度により輝度傾斜量を制御する。具体的には、平均輝度が高い時は、輝度傾斜量を少なくし、平均輝度が低い時は、輝度傾斜量を多くする。さらに、アプリケーションの立ち上げのたびに、前回終了時と逆極性の輝度傾斜パターンを使用する。
【０１３４】
このように、本実施の形態によれば、自発光表示装置３００は、入力画像信号から平均輝度を求め、その平均輝度から補正量を算出する補正量算出部３１１を備え、パターン設定部３２１は、アプリケーション２０１の指示に基づいて、静的／動的制御の切り替えを行い、動的制御をする場合は、補正量算出部３１１から渡された補正量に基づいて、画像処理部１２２に渡す輝度傾斜パターンを補正するので、輝度傾斜パターンを一律に適用する実施の形態１に比べて、低消費電力化及び焼き付きに対する長寿命化をより一層高めることができる。また、実施の形態２と同様に、様々なアプリケーションに対して見栄えを良くすることができる。
【０１３５】
なお、本実施の形態では、輝度傾斜パターンの補正量を正極、負極ともに補正量ｘとした例について説明したが、正極と負極の補正量は別々であってもよい。また複数の補正量から、適当な補正量を選択して使用してもよい。
【０１３６】
以上の説明は本発明の好適な実施の形態の例証であり、本発明の範囲はこれに限定されることはない。
【０１３７】
上記各実施の形態では、自発光表示装置として有機ＥＬディスプレイに適用した場合について説明しているが、自発光表示装置であればどのような表示装置あってもよい。例えば、ＰＤＰを備える映像表示装置であってもよく、ＰＤＰを備える映像表示装置においても、同様に低消費電力化及び焼き付きに対する長寿命化を図ることができる。
【０１３８】
上記各実施の形態では、自発光表示装置を備える電子機器として携帯電話機などの携帯端末に適用した例について説明しているが、携帯電話機に限らずＰＤＡ等の携帯情報端末、パーソナルコンピュータ又はその融合された装置、さらにはＭＰ３プレーヤー、ＨＤＤプレーヤー、携帯型ゲーム機などの携帯機器に適用可能である。
【０１３９】
また、上記各実施の形態では、自発光表示装置及び自発光表示方法という名称を用いたが、これは説明の便宜上であり、装置は映像表示装置、ディスプレイ表示装置等、また方法は表示方法等であってもよい。
【０１４０】
さらに、上記自発光表示装置を構成する各部、例えば記憶部、制御部の種類・機能、その数及び接続方法などはどのようなものでもよい。また、輝度傾斜パターン、ルックアップテーブル、及び補正量は適宜変更が可能である。
【０１４１】
以上説明した自発光表示方法は、この自発光表示方法を機能させるためのプログラムでも実現される。このプログラムはコンピュータで読み取り可能な記録媒体に格納されている。
【産業上の利用可能性】
【０１４２】
本発明に係る自発光表示装置及び自発光表示方法は、入力画像信号に応じた画像を表示するディスプレイ表示装置、特に有機ＥＬディスプレイ表示装置に有用である。
【図面の簡単な説明】
【０１４３】
【図１】本発明の実施の形態１に係る自発光表示装置を備える携帯端末装置の構成を示すブロック図
【図２】上記実施の形態１に係る自発光表示装置の構成を示すブロック図
【図３】有機ＥＬディスプレイとＬＣＤディスプレイの画面平均輝度と消費電力との関係を示す図
【図４】上記実施の形態１に係る自発光表示装置の表示画面と輝度傾斜パターンとの関係を示す図
【図５】上記実施の形態１に係る自発光表示装置の表示画面と輝度傾斜パターンとの関係を示す図
【図６】上記実施の形態１に係る自発光表示装置の表示画面と輝度傾斜パターンとの関係を示す図
【図７】上記実施の形態１に係る自発光表示装置の輝度傾斜パターンを切り替えて使用した場合の平均輝度を示す図
【図８】上記実施の形態１に係る自発光表示装置の輝度傾斜パターンの切り替えタイミング一覧表を示す図
【図９】上記実施の形態１に係る自発光表示装置の輝度傾斜パターンを、所定タイミングで切り替えて合成した場合の輝度レベルを示す図
【図１０】図９の輝度傾斜パターンを用いた場合の効果見積もり表を示す図
【図１１】本発明の実施の形態２に係る自発光表示装置の構成を示すブロック図
【図１２】上記実施の形態２に係る自発光表示装置の輝度傾斜パターン記憶部に記憶された輝度傾斜パターンを示す図
【図１３】上記実施の形態２に係る自発光表示装置の輝度傾斜パターン記憶部に記憶された輝度傾斜パターンを示す図
【図１４】上記実施の形態２に係る自発光表示装置の輝度傾斜パターン記憶部に記憶された輝度傾斜パターンを示す図
【図１５】上記実施の形態２に係る自発光表示装置の輝度傾斜パターン記憶部に記憶された輝度傾斜パターンを示す図
【図１６】上記実施の形態２に係る自発光表示装置の輝度傾斜パターン記憶部に記憶された輝度傾斜パターンを示す図
【図１７】上記実施の形態２に係る自発光表示装置の輝度傾斜パターン記憶部に記憶された輝度傾斜パターンを示す図
【図１８】上記実施の形態２に係る自発光表示装置の輝度傾斜パターン記憶部に記憶された輝度傾斜パターンを示す図
【図１９】上記実施の形態２に係る自発光表示装置のアプリケーションによる輝度傾斜パターンの切り替えタイミング一覧表を示す図
【図２０】上記実施の形態２に係る自発光表示装置のアプリケーション毎による輝度傾斜パターン及び極性切り替え動作を示すフロー図
【図２１】本発明の実施の形態３に係る自発光表示装置の構成を示すブロック図
【図２２】上記実施の形態３に係る自発光表示装置のアプリケーションによる動的／静的パターン生成、パターン、極性切り替えタイミング一覧表を示す図
【図２３】上記実施の形態３に係る自発光表示装置の動的パターン使用アプリケーションによる輝度傾斜パターン及び極性切り替え動作を示すフロー図
【図２４】上記実施の形態３に係る自発光表示装置の動的パターン算出の詳細なフロー図
【図２５】上記実施の形態３に係る自発光表示装置の画面平均輝度レベル（ＡＰＬ）−補正量ｘの関係を示す図
【図２６】上記実施の形態３に係る自発光表示装置の輝度傾斜パターン−補正量ｘの関係を示す図
【図２７】上記実施の形態３に係る自発光表示装置の輝度傾斜補正をした場合に画面に違和感を与えやすいシーンと画面に違和感を与えにくいシーンとを表にして説明する図
【図２８】ＥＬディスプレイを有する携帯電話機の表示画面を示す図
【符号の説明】
【０１４４】
１００  携帯電話機
１０１  アンテナ
１０２  無線送受信部
１０３  送受話回路
１０４  送受話器
１０５  操作部
１０６  撮像装置
１０７  背面撮像装置
１０８  表示装置
１０９，２１０，３１０  自発光表示制御装置
１１０  自発光ディスプレイ
１１１，２００，３００  自発光表示装置
１１２  メモリ
１１３  制御部
１２０，２２０  輝度傾斜パターン記憶部
１２１，２２１，３２１  パターン設定部
１２２  画像処理部
２０１  アプリケーション
３１１  補正量算出部
【図１】
2010204496.tif 000003
【図２】
2010204496.tif 000004
【図３】
2010204496.tif 000005
【図４】
2010204496.tif 000006
【図５】
2010204496.tif 000007
【図６】
2010204496.tif 000008
【図７】
2010204496.tif 000009
【図８】
2010204496.tif 000010
【図９】
2010204496.tif 000011
【図１０】
2010204496.tif 000012
【図１１】
2010204496.tif 000013
【図１２】
2010204496.tif 000014
【図１３】
2010204496.tif 000015
【図１４】
2010204496.tif 000016
【図１５】
2010204496.tif 000017
【図１６】
2010204496.tif 000018
【図１７】
2010204496.tif 000019
【図１８】
2010204496.tif 000020
【図１９】
2010204496.tif 000021
【図２０】
2010204496.tif 000022
【図２１】
2010204496.tif 000023
【図２２】
2010204496.tif 000024
【図２３】
2010204496.tif 000025
【図２４】
2010204496.tif 000026
【図２５】
2010204496.tif 000027
【図２６】
2010204496.tif 000028
【図２７】
2010204496.tif 000029
【図２８】
2010204496.tif 000030